(57)【要約】【課題】光学濃度の高い画像の記録を実現したインクジェット記録方法を提供すること。【解決手段】体積平均粒径１００ｎｍ以上４００ｎｍ以下の顔料が含まれ、普通紙に対して３μｌ滴下して５０秒後の動的接触角が３０°以上６０°以下のインクを用い、  １滴当たりの吐出量が１ｎｇ以上２ｎｇ以下で、前記インクの液滴を熱により吐出する吐出ヘッドによって、前記インクの液滴を記録媒体に吐出し、前記インクの液滴を記録媒体に付着して記録を行うインクジェット記録方法。【選択図】図１
2012096511.tif 000002
【特許請求の範囲】
【請求項１】
体積平均粒径１００ｎｍ以上４００ｎｍ以下の顔料が含まれ、普通紙に対して３μｌ滴下して５０秒後の動的接触角が３０°以上６０°以下のインクを用い、
１滴当たりの吐出量が１ｎｇ以上２ｎｇ以下で、前記インクの液滴を熱により吐出する吐出ヘッドによって、前記インクの液滴を記録媒体に吐出し、前記インクの液滴を記録媒体に付着して記録を行うインクジェット記録方法。
【請求項２】
前記吐出ヘッドが、吐出ヘッド内部に前記インクを循環させて、前記インクの供給を行う吐出ヘッドである請求項１に記載のインクジェット記録方法。
【請求項３】
前記インク中の前記顔料の含有量が、４質量％以上８質量％以下である請求項１又は２に記載のインクジェット記録方法。
【請求項４】
体積平均粒径１００ｎｍ以上４００ｎｍ以下の顔料が含まれ、普通紙に対して３μｌ滴下して５０秒後の動的接触角が３０°以上６０°以下のインクの液滴を、熱により吐出する吐出ヘッドであって、１滴当たりの吐出量が１ｎｇ以上２ｎｇ以下である吐出ヘッドを備えるインクジェット記録装置。
【請求項５】
前記吐出ヘッドが、吐出ヘッド内部に前記インクを循環させて、前記インクの供給を行う吐出ヘッドである請求項４に記載のインクジェット記録装置。
【請求項６】
前記インク中の前記顔料の含有量が、４質量％以上８質量％以下である請求項４又は５に記載のインクジェット記録装置。
【請求項７】
体積平均粒径１００ｎｍ以上４００ｎｍ以下の顔料が含まれ、普通紙に対して３μｌ滴下して５０秒後の動的接触角が３０°以上６０°以下であるインクジェット記録用インク。
【請求項８】
前記顔料の含有量が、４質量％以上８質量％以下である請求項７に記載のインクジェット記録用インク。
【発明の詳細な説明】
【技術分野】
【０００１】
本発明は、インクジェット記録方法、インクジェット記録装置、インクジェット記録用インクに関する。
【背景技術】
【０００２】
例えば、特許文献１には、「自己分散可能な顔料を含む、４μｌのインク滴下後の普通紙に対する１ｓ後の動的接触角が≦６０°、体積平均粒子径Ｍｖが１５０〜２５０ｎｍ、顔料濃度が３〜２０ｗｔ．％、０．５〜５μｍの粗大粒子が５×１０５〜２×１０７個／μｌ以上であるインク」について開示されている。
また、特許文献２には、「自己分散可能な顔料を含む、自己分散可能な顔料の表面親水基総量が、顔料１ｇあたり０．３〜０．６ｍｍｏｌ、インクの表面張力γが４０〜５５ｍＮ／ｍ、普通紙に対する１ｓ後の接触角が４０〜１００°、＞０．５μｍの粗大粒子が２．５×１０３個／μｌ以上であるインク」について開示されている。
【先行技術文献】
【特許文献】
【０００３】
【特許文献１】特開２００２−３３１７３９号公報
【特許文献２】特開２００１−３０２９５１号公報
【発明の概要】
【発明が解決しようとする課題】
【０００４】
本発明の課題は、下記組成のインクを適用しない場合に比べ、下記１滴当たりの吐出量が１ｎｇ以上２ｎｇ以下の吐出ヘッドを用いるインクジェット記録方法において、光学濃度の高い画像の記録を実現したインクジェット記録方法を提供することである。
【課題を解決するための手段】
【０００５】
上記課題は、以下の手段により改善される。即ち、
請求項１に係る発明は、
体積平均粒径１００ｎｍ以上４００ｎｍ以下の顔料が含まれ、普通紙に対して３μｌ滴下して５０秒後の動的接触角が３０°以上６０°以下のインクを用い、
１滴当たりの吐出量が１ｎｇ以上２ｎｇ以下で、前記インクの液滴を熱により吐出する吐出ヘッドによって、前記インクの液滴を記録媒体に吐出し、前記インクの液滴を記録媒体に付着して記録を行うインクジェット記録方法。
【０００６】
請求項２に係る発明は、
前記吐出ヘッドが、吐出ヘッド内部に前記インクを循環させて、前記インクの供給を行う吐出ヘッドである請求項１に記載のインクジェット記録方法。
【０００７】
請求項３に係る発明は、
前記インク中の前記顔料の含有量が、４質量％以上８質量％以下である請求項１又は２に記載のインクジェット記録方法。
【０００８】
請求項４に係る発明は、
体積平均粒径１００ｎｍ以上４００ｎｍ以下の顔料が含まれ、普通紙に対して３μｌ滴下して５０秒後の動的接触角が３０°以上６０°以下のインクの液滴を、熱により吐出する吐出ヘッドであって、１滴当たりの吐出量が１ｎｇ以上２ｎｇ以下である吐出ヘッドを備えるインクジェット記録装置。
【０００９】
請求項５に係る発明は、
前記吐出ヘッドが、吐出ヘッド内部に前記インクを循環させて、前記インクの供給を行う吐出ヘッドである請求項４に記載のインクジェット記録装置。
【００１０】
請求項６に係る発明は、
前記インク中の前記顔料の含有量が、４質量％以上８質量％以下である請求項４又は５に記載のインクジェット記録装置。
【００１１】
請求項７に係る発明は、
体積平均粒径１００ｎｍ以上４００ｎｍ以下の顔料が含まれ、普通紙に対して３μｌ滴下して５０秒後の動的接触角が３０°以上６０°以下であるインクジェット記録用インク。
【００１２】
請求項８に係る発明は、
前記顔料の含有量が、４質量％以上８質量％以下である請求項７に記載のインクジェット記録用インク。
【発明の効果】
【００１３】
請求項１に係る発明によれば、上記組成のインクを適用しない場合に比べ、上記１滴当たりの吐出量が１ｎｇ以上２ｎｇ以下の吐出ヘッドを用いたインクジェット記録方法において、光学濃度の高い画像の記録を実現したインクジェット記録方法が提供できる。
請求項２に係る発明によれば、吐出ヘッドへのインクの供給方式として循環方式を採用しない場合に比べ、吐出ヘッド内でのインクの顔料の沈降を抑制したインクジェット記録方法が提供できる。
請求項３に係る発明によれば、インクの顔料の含有量が上記範囲外の場合に比べ、光学濃度の高い画像の記録を実現したインクジェット記録方法が提供できる。
請求項４に係る発明によれば、上記組成のインクを適用しない場合に比べ、上記１滴当たりの吐出量が１ｎｇ以上２ｎｇ以下の吐出ヘッドを備えたインクジェット記録装置において、光学濃度の高い画像の記録を実現したインクジェット記録装置が提供できる。
請求項５に係る発明によれば、吐出ヘッドへのインクの供給方式として循環方式を採用しない場合に比べ、吐出ヘッド内でのインクの顔料の沈降を抑制したインクジェット記録装置が提供できる。
請求項６に係る発明によれば、インクの顔料の含有量が上記範囲外の場合に比べ、光学濃度の高い画像の記録を実現したインクジェット記録装置が提供できる。
請求項７に係る発明によれば、普通紙に対する動的接触角及び顔料の体積平均粒径が上記範囲外の場合に比べ、１滴当たりの吐出量が１ｎｇ以上２ｎｇ以下の吐出ヘッドを用いたインクジェット記録を行うとき、光学濃度の高い画像の記録を実現するインクジェット記録用インクが提供できる。
請求項８に係る発明によれば、顔料の含有量が上記範囲外の場合に比べ、光学濃度の高い画像の記録を実現するインクジェット記録用インクが提供できる。
【図面の簡単な説明】
【００１４】
【図１】本実施形態に係るインクジェット記録装置を示す概略構成図である。
【図２】本実施形態に係るインクジェット記録装置における記録ヘッド周辺を示す部分平面図である。
【図３】本実施形態に係るインクジェット記録装置における記録ヘッドを示す概略断面図である。
【発明を実施するための形態】
【００１５】
以下、実施形態について図面を参照しつつ詳細に説明する。
図１は、本実施形態に係るインクジェット記録装置を示す概略構成図である。図２は、本実施形態に係るインクジェット記録装置における記録ヘッド周辺を示す部分平面図である。図３は、本実施形態に係るインクジェット記録装置における記録ヘッドを示す概略断面図である。
【００１６】
本実施形態に係るインクジェット記録装置１２は、例えば、図１〜２に示すように、筐体１４内の下部に、給紙容器１６が備えられており、給紙容器１６内に積層された用紙Ｐ（記録媒体の一例）を取り出しロール１８で１枚ずつ取り出す機構を有している。取り出された用紙Ｐは、搬送ローラ対２０を構成する複数の搬送ローラ対２０で搬送される。
【００１７】
給紙容器１６の上方には、駆動ロール２４及び従動ロール２６に張力を付与されつつ支持された無端状の搬送ベルト２８が配置されている。搬送ベルト２８の上方には記録ヘッド３０が配置されており、搬送ベルト２８における平坦部分に対向している。この対向した領域が、記録ヘッド３０からインクの液滴が吐出される吐出領域となっている。搬送ローラ対２０を搬送された用紙Ｐは、搬送ベルト２８で保持されてこの吐出領域に至り、記録ヘッド３０に対向した状態で、記録ヘッド３０から画像情報に応じて吐出されたインクの液滴が付着する。
【００１８】
記録ヘッド３０の上流側（用紙Ｐの搬送方向上流側）には、帯電ロール３２が配置されている。帯電ロール３２は、従動ロール２６との間で搬送ベルト２８及び用紙Ｐを挟みつつ従動し、接地された従動ロール２６との間に電位差を生じさせ、用紙Ｐに電荷を与えて搬送ベルト２８に静電吸着させる。
【００１９】
記録ヘッド３０の下流側（用紙Ｐの搬送方向下流側）には、不図示の剥離板３４が配置されており、用紙Ｐを搬送ベルト２８から剥離させる。剥離された用紙Ｐは、剥離板３４の下流側（用紙Ｐの搬送方向下流側）で排出経路３６を構成する複数の排出ローラ対３８で搬送され、筐体１４の上部に設けられた排紙容器４０に排出される。
【００２０】
記録ヘッド３０（吐出ヘッドの一例）について説明する。
記録ヘッド３０は、例えば、図２に示すように、有効な記録領域（インクを吐出するノズルの配置領域）が用紙Ｐの幅（搬送方向と交差（例えば直交）する方向の長さ）以上とされた長尺状の記録ヘッドである。
【００２１】
記録ヘッド３０としては、例えば、イエロー（Ｙ）、マゼンタ（Ｍ）、シアン（Ｃ）、及びブラック（Ｋ）の４色それぞれに対応した４つの記録ヘッドが搬送方向に沿ってアレイ状に配置されている。無論、記録ヘッド３０は、上記４色のそれぞれに対応した４つの記録ヘッド３０を配置する形態に限られず、目的に応じて、ブラック（Ｋ）に対応した一つの記録ヘッド３０を配置した形態であってよいし、他の中間色を加えた４色以上のそれぞれに対応した４つ以上の記録ヘッド３０を配置した形態であってもよい。
【００２２】
記録ヘッド３０は、インクの液滴を熱により吐出する、所謂サーマル方式であって、吐出するインクの液滴１滴当たりの吐出量が１ｎｇ以上２ｎｇ以下（望ましくは１ｎｇ以上１．６ｎｇ以下）とした記録ヘッドである。
ここで、インクの液滴１滴当たりの吐出量を調整する方法としては、例えば、ヒータサイズ、ノズル径、入力信号のパルス幅と高さ、などを調整する手法が挙げられる。
【００２３】
記録ヘッド３０は、図３に示すように、例えば、インクの液滴が吐出されるノズル３０Ａと、各ノズル３０Ａにインクを供給するための共通インク室３０Ｂと、を有している。また、ノズル３０Ａと共通インク室３０Ｂとの間には、共通インク室３０Ｂから供給されるインク中の遺物を除去するフィルタ３０Ｃが配置されている。
【００２４】
そして、図示しないが、記録ヘッド３０の内部（共通インク室３０Ｂ）に供給管３０Ｄを通じてインクを供給し、記録ヘッド３０の内部（共通インク室３０Ｂ）から排出管３０Ｅを通じてインクを排出して、インクを循環させて、外部から記録ヘッド３０内部にインクを供給するためのインク供給部も備えており、記録ヘッド３０は循環方式によりインクが供給されるよう構成されている。
これにより、比較的粒径が大きめの顔料（体積平均粒径１００ｎｍ以上４００ｎｍ以下の顔料）が含まれるインクを採用した場合であっても、記録ヘッド３０内部での顔料の沈降が抑制される。その結果、記録ヘッド３０（そのノズル）の目詰まりが抑制される。
【００２５】
以上説明した本実施形態に係るインクジェット記録装置１２では、１滴当たりの吐出量が１ｎｇ以上２ｎｇ以下で、インクの液滴を熱により吐出する記録ヘッド３０によって、インクの液滴を用紙Ｐ（記録媒体）に吐出し、インクの液滴を用紙Ｐに付着して記録を行う。
この記録ヘッド３０は、サーマル方式でのインクの液滴を吐出し、且つインクの液滴１滴当たりの吐出量が少ないという特性を有することから、インクの液滴の吐出速度が速いと共に、インクの液滴の単位質量当たりの比表面積が大きく、インクの乾燥時間が短く及び用紙Ｐに対する浸透速度が速くなると考えられる。このため、この記録ヘッド３０を採用すると、高速記録（例えば、印字速度（用紙Ｐの搬送速度）がＡ４サイズの用紙で１分間当たり３０枚以上６０枚以下）が実現される。
なお、上記インクの液滴１滴当たりの吐出量が少なすぎると（吐出量が１ｎｇ未満）であると、インクの液滴が軽すぎることから、気流等により、インクの液滴の着弾位置にズレが生じ易くなる。
【００２６】
しかし、このような特性を持つ記録ヘッド３０を採用した場合、得られる記録画像の光学濃度が低下し易いのが現状である。
【００２７】
そこで、本実施形態では、体積平均粒径１００ｎｍ以上４００ｎｍ以下の顔料が含まれ、普通紙に対して３μｌ滴下して５０秒後の動的接触角が３０°以上６０°以下のインクジェット記録用インク（以下、単にインクと称する）を採用する。
【００２８】
これにより、本実施形態では、上記記録ヘッド３０を採用したインクジェット記録装置１２において、光学濃度の高い画像の記録が実現される。
この理由は定かではないが、顔料の体積平均粒径を上記範囲と大き目とすると共に、上記動的接触角を高くする、つまりインク自体の物性として用紙Ｐに対する浸透速度を遅くすることで、インクの顔料が用紙Ｐの表面に残り易くなるためであると考えられる。なお、インクの用紙Ｐに対する浸透速度を遅めとしても、上述のようにインクの液滴１滴当たりの吐出量が少ないことから、高速印字への影響が少ないと考えられる。
【００２９】
また、本実施形態では、インク自体の物性として用紙Ｐに対する浸透速度を遅くすることから、用紙Ｐ上のインクの拡散が抑えられ、インク滲みも抑制されると考えられる。つまり、本実施形態では、光学濃度が高く、且つインク滲みが抑えられた画像の記録が高速で実現され易くなる。
【００３０】
以下、本実施形態に係るインクジェット記録装置１２に採用されるインク（以下、本実施形態に係るインクと称する）について説明する。
【００３１】
本実施形態に係るインクは、体積平均粒径１００ｎｍ以上４００ｎｍ以下の顔料を含んで構成される。そして、本実施形態は、普通紙に対して３μｌ滴下して５０秒後の動的接触角が３０°以上６０°以下という特性を有する。
【００３２】
普通紙に対して３μｌ滴下して５０秒後の動的接触角は、３０°以上６０°以下であるが、望ましくは３５°以上５５°以下である
動的接触角が３０°未満、又はインクが普通紙に浸透し切ってしまい測定不能である場合、インクの用紙Ｐに対する浸透速度が速すぎてしまい、インクの顔料が用紙Ｐの表面に残り易くなり光学濃度が低下し、またインク滲みが発生し易くなる。一方で、動的接触角が６０°を超えると、インクの用紙Ｐに対する浸透速度が遅すぎてしまい、インクの乾燥時間が長くなり、高速印字に対応し難くなる。
【００３３】
この動的接触角の調整方法としては、例えば、１）界面活性剤の種類と量の組み合わせを調整する方法、２）水溶性有機溶媒の量と種類を微調整する方法、３）その他添加剤の種類と量を調整する方法、等が挙げられる。
【００３４】
ここで、動的接触角は、インクを普通紙上に滴下させてから目的とする時間経過後のいわゆる接触角、すなわちインクの液滴と普通紙との接液部における、インクの液滴表面と普通紙とのなす角をいい、インクの液滴が完全に普通紙に染み込んだ状態は０゜である。
本実施形態における動的接触角は、２３℃、５５％ＲＨの条件下で、３μｌのインクを普通紙上に滴下させてから５０秒経過後の上記なす角である。
動的接触角を測定する測定装置としては、動的接触角計  ＦＩＢＲＯ１１００ＤＡＴ（（株）マツボー製）を用いる。
【００３５】
また、動的接触角の測定に用いる普通紙は、インクジェット記録装置（方法）に適用する用紙Ｐを意味するが、代表して富士ゼロックス（株）製・コピー用紙カラーモノクロ兼用紙Ｃ２とした。富士ゼロックス（株）製・コピー用紙カラーモノクロ兼用紙Ｃ２を代表とした理由は、上記用紙がコピー用紙等として数多く市販されており、一般的に普通紙と呼ばれる用紙の中で、インクに対して平均的な浸透性を示し動的接触角の測定に適しているからである。
【００３６】
次に、本実施形態に係るインクの組成について説明する。
本実施形態に係るインクは、例えば、顔料、水、水性有機溶媒、必要に応じてその他添加剤を含んで構成される。
【００３７】
顔料について説明する。
顔料は、体積平均粒径１００ｎｍ以上４００ｎｍ以下（望ましくは１００ｎｍ以上３００ｎｍ以下、より望ましくは１００ｎｍ以上２５０ｎｍ以下）のものが適用される。
顔料の体積平均粒径が１００ｎｍ未満の場合には、目的とする記録画像の光学濃度が得れない。一方で、顔料の体積平均粒径が４００ｎｍを超えると、顔料の分散性が悪化し、顔料の沈降が進み、記録ヘッドの目詰まりが生じたり、目的とする記録画像の光学濃度が得れない。
【００３８】
顔料の体積平均粒径は、ナノトラック粒度分布測定装置  ＵＰＡ−ＥＸ１５０（日機装（株）製）を用い、動的光散乱法により、得られたインク中の顔料の体積平均粒径を測定した。測定温度は、２５℃とする。
【００３９】
上記体積平均粒径を持つ顔料としては、以下のものが挙げられる。
ブラック顔料としては、Ｃａｂ−ｏ−ｊｅｔ  ４００、ＳＭＰ‐１‐０３５１等が挙げられる。
シアン顔料としては、Ｃａｂ−ｏ−ｊｅｔ  ４５０Ｃが挙げられる。
マゼンタ顔料としては、Ｃａｂ−ｏ−ｊｅｔ  ４８０Ｖが挙げられる。
イエロー顔料としては、Ｃａｂ−ｏ−ｊｅｔ  ２７０Ｙ、Ｃａｂ−ｏ−ｊｅｔ  ４７０Ｙが挙げられる。
【００４０】
顔料の含有量は、４質量％以上８質量％以下が望ましく、より望ましくは４質量％以上７．５質量％以下、さらに望ましくは４質量％以上７質量％以下である。
顔料の含有量が４質量％未満であると、目的とする記録画像の光学濃度が得られ難くなる場合がある。一方、顔料の含有量が８質量％を超えると、顔料の沈降が進み易く、記録ヘッドの目詰まりが生じたり、目的とする記録画像の光学濃度が得れ難くなる場合がある。
【００４１】
水について説明する。
水としては、特に不純物が混入することを防止するため、イオン交換水、超純水、蒸留水、限外濾過水が挙げられる。
【００４２】
水性有機溶媒について説明する。
水溶性有機溶媒としては、例えばエチレングリコール、ジエチレングリコール、プロピレングリコール、ポリエチレングリコール、トリエチレングリコール、グリセリン、トリメチロールプロパン、１，２，６−ヘキサントリオール、１，５−ペンタンジオール、ジプロピレングリコール等の多価アルコール類；チオジエタノール、２−メルカプトエタノール、チオグリセロール、スルホラン、ジメチルスルホキシドなどの含硫黄溶媒類；２−ピロリドン、Ｎ−メチル−２−ピロリドン、シクロヘキシルピロリドン、トリエタノールアミン、ジエタノールアミン等の含窒素溶媒が挙げられる。
【００４３】
水溶性有機溶媒の含有量は、例えば１質量％以上７０質量％以下の範囲がよい。
なお、水と水溶性有機溶媒との比率（水：水溶性溶媒）は、８０：２０乃至５０：５０であることがよい。
【００４４】
その他添加剤について説明する。
本実施形態に係るインクには、用紙に対する浸透速度等を調整する目的で、浸透剤として、界面活性剤、溶媒系浸透剤（グリコールエーテル類等）を含ませてもよい。
【００４５】
界面活性剤としては、ノニオン性界面活性剤、アニオン性界面活性剤、カチオン性界面活性剤、両イオン性界面活性剤が挙げられ、これらの中でも、ノニオン性界面活性剤、アニオン性界面活性剤、両イオン性界面活性剤がよい。
【００４６】
ノニオン性界面活性剤としては、例えばポリオキシエチレンアルキルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、ポリオキシエチレングリセリン脂肪酸エステル、ポリグリセリン脂肪酸エステル、ポリオキシエチレンソルビット脂肪酸エステル、ポリオキシエチレンステロール、ポリオキシエチレンポリオキシプロピレンエーテル、ポリオキシエチレン脂肪酸アミド、ポリオキシエチレンポリオキシプロピレンブロックコポリマー、ノニオン性アセチレングリコール系界面活性剤、テトラメチルデシンジオール、テトラメチルデシンジオールエチレンオキサイド付加物などが挙げられる。
【００４７】
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ナフタレンスルホン酸塩のホルマリン縮合物、ポリスチレンスルホン酸塩、ポリアクリル酸塩、ポリオキシエチレンアルキルエーテルリン酸塩、アルキルエーテルカルボン酸塩、アルキル硫酸塩、アクリル酸−アクリル酸エステル共重合体、メタクリル酸−メタクリル酸エステル共重合体、スチレン−アクリル酸共重合体、スチレン−アクリル酸−アクリル酸エステル共重合体、スチレン−メタクリル酸共重合体、スチレン−メタクリル酸−メタクリル酸エステル共重合体等が挙げられる。
【００４８】
両性界面活性剤としては、ベタイン、スルフォベタイン、サルフェートベタイン、イミダゾリン、ポリシロキサンポリオキシエチレン付加物等のシリコーン系界面活性剤；パーフルオロアルキルカルボン酸塩、パーフルオロアルキルスルホン酸塩；オキシエチレンパーフルオロアルキルエーテルなどのフッ素系界面活性剤；スピクリスポール酸やラムノリピド、リゾレシチンなどのバイオサーファクタント；等が挙げられる。
【００４９】
これら、界面活性剤のＨＬＢ（親水基／疎水基バランス）は、インクに適度な浸透性を持たせる観点から、８以上１５以下の範囲にあるのがよい。
【００５０】
溶媒系浸透剤としては、例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、トリエチレングリコールモノメチルエーテル、トリエチレングリコールモノエチルエーテル、トリエチレングリコールモノプロピルエーテル、トリエチレングリコールモノブチルエーテル、トリエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテルなどが挙げられる。
【００５１】
浸透剤の含有量は、ブラックインクの場合、例えば０．０１質量％以上７質量％以下（望ましくは０．０２質量％以上５質量％以下、より望ましくは０．０５質量％以上３質量％以下）、ブラックインク以外のカラーインクの場合、例えば０．０５質量％以上１５質量％以下（望ましくは０．１質量％以上１０質量％以下、より望ましくは０．２質量％以上８質量％以下）であることがよい。
【００５２】
また、本実施形態に係るインクには、ｐＨ調整剤として塩酸、硫酸、硝酸、酢酸、クエン酸、シュウ酸、マロン酸、ホウ酸、リン酸、亜リン酸、乳酸等の酸；水酸化ナトリウム、水酸化カリウム、水酸化リチウム、アンモニア等の塩基；およびリン酸塩、シュウ酸塩、アミン塩やグッドバッファー等の各種緩衝剤を含んでもよい。
【００５３】
また、本実施形態に係るインクには、物性調整剤としてポリエチレンイミン、ポリアミン類、ポリビニルピロリドン、ポリエチレングリコール、セルロース誘導体等を、包接化合物としてシクロデキストリン、ポリシクロデキストリン、大環状アミン類、クラウンエーテル類等を、可溶化剤としてアセトアミド、ベタイン、尿素及びその類縁体等を含んでもよく、また必要に応じて防カビ剤、防錆剤、殺菌剤、キレート化剤、デンドリマー等を含んでもよい。
【００５４】
本実施形態に係るインクの好適な物性について説明する。
まず、インクのｐＨは、例えば７以上の範囲（望ましくは７以上１１以下の範囲、より望ましくは８以上１０以下の範囲）が挙げられる。
ここで、インクのｐＨは、温度２３±０．５℃、湿度５５±５％Ｒ．Ｈ．環境下において、ｐＨ／導電率計（メトラー・トレド社製ＭＰＣ２２７）により測定した値を採用する。
【００５５】
インクの表面張力は、例えば２０ｍＮ／ｍ以上４０ｍＮ／ｍ以下の範囲（望ましくは２５ｍＮ／ｍ以上３５ｍＮ／ｍ以下の範囲）が挙げられる。
ここで、表面張力としては、ウイルヘルミー型表面張力計（協和界面科学株式会社製）を用い、２３℃、５５％ＲＨの環境において測定した値を採用する。
【００５６】
インクの導電率は、例えば０．０１Ｓ／ｍ以上０．５Ｓ／ｍ以下の範囲（望ましくは０．０１Ｓ／ｍ以上０．２５Ｓ／ｍ以下の範囲、より望ましくは０．０１Ｓ／ｍ以上０．２０Ｓ／ｍ以下の範囲）が挙げられる。
導電率の測定は、ＭＰＣ２２７（ｐＨ／Ｃｏｎｄｕｃｔｉｖｉｔｙ  Ｍｅｔｅｒ、メトラー・トレンド社製）で行う。
【００５７】
インクの粘度は、例えば１．５ｍＰａ・ｓ以上３０ｍＰａ・ｓ以下の範囲（望ましくは３ｍＰａ・ｓ以上２０ｍＰａ・ｓ以下の範囲）が挙げられる。
粘度は、レオマット１１５（Ｃｏｎｔｒａｖｅｓ製）を測定装置として用い、測定温度は２３℃、せん断速度は１４００ｓ−１の条件で測定する。
【実施例】
【００５８】
以下に、本発明を実施例により具体的に説明するが、本発明はこれらの実施例に何ら限定されるものではない。
【００５９】
［実施例１］
−インクの作製−
・Ｃａｂ−ｏ−ｊｅｔ  ４００（キャボット（株）製：顔料濃度１５質量％）：３３質量部
・グリセリン：１５質量部
・オキシエチレン２−エチルヘキシルエーテル：０．２５質量部
・オキシエチレンオレイルエーテル：０．０７質量部
・尿素：６質量部
・純水：残部
上記組成を混合し、５μｍフィルターでろ過し、Ｂｋインクを得た。
【００６０】
−インクジェット記録−
有効な記録領域が用紙の幅以上とした長尺状で、インクの液滴１滴当たりの吐出量を１．４ｎｇに調整したサーマル方式の記録ヘッドを備えるインクジェット記録装置を準備した。この記録ヘッドのインク供給は、記録ヘッド内部（共通インク室）−サブタンク間を循環して行われる循環方式を採用した。
次に、得られたインクを上記インクジェット記録装置に用いて、画像記録を行った。
【００６１】
［比較例１］
インクの液滴１滴当たりの吐出量を２．８ｎｇに調整した以外は、実施例１と同じインクジェット記録装置を準備した。
そして、実施例１で作製したインクを上記インクジェット記録装置に用いて、画像記録を行った。
【００６２】
［比較例２］
−インクの作製−
・Ｃａｂ−ｏ−ｊｅｔ  ３００（キャボット（株）製：顔料濃度１５質量％）：３３質量部
・ジエチレングリコール：２０質量部
・オキシエチレンオレイルエーテル：０．０８質量部
・純水：残部
上記組成を混合し、５μｍフィルターでろ過し、インクを得た。
【００６３】
−インクジェット記録−
インクの液滴１滴当たりの吐出量を１．５ｎｇに調整した以外は、実施例１と同じインクジェット記録装置を準備した。
そして、得られたインクを上記インクジェット記録装置に用いて、画像記録を行った。
【００６４】
［比較例３］
−インクの作製−
・Ｃａｂ−ｏ−ｊｅｔ  ４００  （キャボット（株）製：顔料濃度１５質量％）：４０質量部
・グリセリン：１５質量部
・オキシエチレン２−エチルヘキシルエーテル：０．１質量部
・オキシエチレンオレイルエーテル：０．０５質量部
・純水：残部
上記組成を混合し、５μｍフィルターでろ過し、Ｂｋインクを得た。
【００６５】
−インクジェット記録−
インクの液滴１滴当たりの吐出量を１．３ｎｇに調整した以外は、実施例１と同じインクジェット記録装置を準備した。
そして、得られたインクを上記インクジェット記録装置に用いて、画像記録を行った。
【００６６】
［比較例４］
−インクの作製−
・ＣＷ−１  （オリエント化学（株）製：顔料濃度２０質量％）：２５質量部
・ポリエチレングリコール：２５質量部
・オキシエチレン２−エチルヘキシルエーテル０．３０質量部
・オキシエチレンオレイルエーテル０．１０質量部
・純水：残部
上記組成を混合し、５μｍフィルターでろ過し、Ｂｋインクを得た。
【００６７】
−インクジェット記録−
インクの液滴１滴当たりの吐出量を１．３ｎｇに調整した以外は、実施例１と同じインクジェット記録装置を準備した。
そして、得られたインクを上記インクジェット記録装置に用いて、画像記録を行った。
【００６８】
［実施例２］
−インクの作製−
・Ｃａｂ−ｏ−ｊｅｔ  ４００  （キャボット（株）製：顔料濃度１５質量％）：３０質量部
・グリセリン：２０質量部
・オキシエチレン２−エチルヘキシルエーテル：０．３５質量部
・オキシエチレンステアリルエーテル：０．１５質量部
・純水：残部
上記組成を混合し、５μｍフィルターでろ過し、Ｂｋインクを得た。
【００６９】
−インクジェット記録−
実施例１と同じインクジェット記録装置を準備した。
そして、得られたインクを上記インクジェット記録装置に用いて、画像記録を行った。
【００７０】
［実施例３］
−インクの作製−
・Ｃａｂ−ｏ−ｊｅｔ  ４００（キャボット（株）製：顔料濃度１５質量％）：４０質量部
・グリセリン：１５質量部
・ジエチレングリコール：１０質量部
・オキシエチレン２−エチルヘキシルエーテル：０．１３質量部
・オキシエチレンセチルエーテル：０．１質量部
・純水：残部
上記組成を混合し、５μｍフィルターでろ過し、Ｂｋインクを得た。
【００７１】
インクの液滴１滴当たりの吐出量を１．５ｎｇに調整した以外は、実施例１と同じインクジェット記録装置を準備した。
そして、得られたインクを上記インクジェット記録装置に用いて、画像記録を行った。
【００７２】
［比較例５］
−インクの作製−
・試作した自己分散型顔料分散液（顔料濃度  ８質量％）：６０質量部
・グリセリン：１０質量部
・ジエチレングリコール：５質量部
・オキシエチレンオキシプロピレンブロックポリマー：０．１質量部
・純水：残部
上記組成を混合し、５μｍフィルターでろ過し、Ｂｋインクを得た。
【００７３】
−インクジェット記録−
インクの液滴１滴当たりの吐出量を１．４ｎｇの実施例1と同じインクジェット記録装置を準備した。
そして、得られたインクを上記インクジェット記録装置に用いて、画像記録を行おうとしたが、顔料の沈降/凝集が激しいためか、記録装置内でインク詰まりを起こしてしまい、十分な画像記録を行うことができなかった。
【００７４】
［比較例６］
−インクの作製−
・Ｃａｂ−ｏ−ｊｅｔ  ４００  （キャボット（株）製：顔料濃度１５質量％）：３０質量部
・ジエチレングリコール：１０質量部
・プロピレングリコール：５質量部
・ジエチレングリコールモノブチルエーテル：３質量部
・オキシエチレンオレイルエーテル：１．５質量部
・純水：残部
上記組成を混合し、５μｍフィルターでろ過し、Ｂｋインクを得た。
【００７５】
−インクジェット記録−
インクの液滴１滴当たりの吐出量を１．４ｎｇの実施例1と同じインクジェット記録装置を準備した。
そして、得られたインクを上記インクジェット記録装置に用いて、画像記録を行った。
【００７６】
［比較例７］
インクの液滴１滴当たりの吐出量を０．７ｎｇに調整した以外は、実施例１と同じインクジェット記録装置を準備した。
そして、実施例１で作製したインクを上記インクジェット記録装置に用いて、画像記録を行った。
【００７７】
［実施例４］
−インクの作製−
・Ｃａｂ−ｏ−ｊｅｔ  ４００  （キャボット（株）製：顔料濃度１５質量％）：２３．３質量部
・グリセリン：１５質量部
・オキシエチレン２−エチルヘキシルエーテル：０．２５質量部
・オキシエチレンオレイルエーテル：０．０７質量部
・尿素：６質量部
・純水：残部
上記組成を混合し、５μｍフィルターでろ過し、Ｂｋインクを得た。
【００７８】
−インクジェット記録−
インクの液滴１滴当たりの吐出量を１．４ｎｇの実施例1と同じインクジェット記録装置を準備した。
そして、得られたインクを上記インクジェット記録装置に用いて、画像記録を行った。
【００７９】
［実施例５］
−インクの作製−
・Ｃａｂ−ｏ−ｊｅｔ  ４００  （キャボット（株）製：顔料濃度１５質量％）：５０質量部
・グリセリン：１５質量部
・オキシエチレン２−エチルヘキシルエーテル：０．２５質量部
・オキシエチレンオレイルエーテル：０．０７質量部
・尿素：６質量部
・純水：残部
上記組成を混合し、５μｍフィルターでろ過し、Ｂｋインクを得た。
【００８０】
−インクジェット記録−
インクの液滴１滴当たりの吐出量を１．４ｎｇの実施例1と同じインクジェット記録装置を準備した。
そして、得られたインクを上記インクジェット記録装置に用いて、画像記録を行った。
【００８１】
［実施例６］
実施例1と同じ、吐出量を１．４ｎｇに調整したサーマル方式の記録ヘッドを備えるインクジェット記録装置を準備した。この記録ヘッドのインク供給は、インクタンクからノズルへの一方通行であった。
そして、実施例１で作製したインクを上記インクジェット記録装置に用いて、画像記録を行った。
ただし、ノズル目詰まりが激しく、印字直前に繰り返しヘッドのメンテナンスをすることで画像記録が可能となり、停止後再度印字しようとすると、またヘッドのメンテナンスが必要であった。
【００８２】
［実施例７］
−インクの作製−
・試作した自己分散型顔料分散液（顔料濃度  １０質量％）：５０質量部
・ジプロピレングリコール：５質量部
・トリエチレングリコール：１０質量部
・オキシエチレンオレイルエーテル：0.1質量部
・純水：残部
上記組成を混合し、５μｍフィルターでろ過し、Ｂｋインクを得た。
【００８３】
−インクジェット記録−
インクの液滴１滴当たりの吐出量を１．８ｎｇに調整した以外は、実施例１と同じインクジェット記録装置を準備した。
そして、得られたインクを上記インクジェット記録装置に用いて、画像記録を行った。
【００８４】
［実施例８］
インクの液滴１滴当たりの吐出量を１．０ｎｇに調整した以外は、実施例１と同じインクジェット記録装置を準備した。
そして、実施例１で作製したインクを上記インクジェット記録装置に用いて、画像記録を行った。
【００８５】
［実施例９］
−インクの作製−
・試作した自己分散型顔料分散液（顔料濃度  ８質量％）：６０質量部
・グリセリン：１０質量部
・オキシエチレンステアリルエーテル：０．２質量部
・純水：残部
上記組成を混合し、５μｍフィルターでろ過し、Ｂｋインクを得た。
【００８６】
−インクジェット記録−
インクの液滴１滴当たりの吐出量を１．６ｎｇに調整した以外は、実施例１と同じインクジェット記録装置を準備した。
そして、得られたインクを上記インクジェット記録装置に用いて、画像記録を行った。
【００８７】
［実施例１０］
インクの液滴１滴当たりの吐出量を１．９ｎｇに調整した以外は、実施例１と同じインクジェット記録装置を準備した。
そして、実施例１で作製したインクを上記インクジェット記録装置に用いて、画像記録を行った。
【００８８】
［評価］
（評価１）
各例のインクにおける顔料の体積平均粒径、普通紙（本実施例では富士ゼロックス（株）製・コピー用紙カラーモノクロ兼用紙Ｃ２を採用）に対して３μｌ滴下して５０秒後の動的接触角を調べた。結果を表１に一覧に示す。
【００８９】
（評価２）
各例で行った画像記録により得られた記録画像につき、以下の評価を行った。結果を表１に示す。
【００９０】
−画像の滲み−
画像の滲みについて、２ｄｏｔライン画像を印字し、以下の基準で官能評価を行った。評価基準は以下の通りである。
◎：目視および拡大鏡で確認し、ひげ状の画像乱れなし。
○：目視で確認できる明らかなにじみは無く、拡大すると、若干の画像乱れが検出された。
△：目視でわずかにひげ状の画像乱れが検知された。
×：目視で明らかなひげ状の画像乱れが多数あり。
【００９１】
−画像の光学濃度−
画像の光学濃度について、１００％カバレッジのソリッドパッチを印字し、Ｘ−Ｒｉｔｅ４０４を用いて調べた。評価基準は以下の通りである。
○：５箇所平均の光学濃度が１．２以上の濃度を示した。
△：５箇所平均の光学濃度が１．１以上１．２未満の濃度を示した。
×：５箇所平均の光学濃度が１．１未満の濃度を示した。
【００９２】
−乾燥速度−
乾燥速度について、連続印字モードで、１枚目の後半に１×２ｃｍサイズのソリッドパッチを印字した後、２枚目に白紙を印字し、２枚目の裏側に１枚目の印字汚れが付着しているかどうかを確認して評価した。評価基準は以下の通りである。
○：１枚目と２枚目の印字間隔が１ｓ間隔でも汚れなし
△：１枚目と２枚目の印字間隔が２ｓ間隔だと汚れなし、１ｓ間隔でごくわずかの汚れが検知された。
×：１枚目と２枚目の印字間隔が３ｓ間隔でも明らかな汚れが検知された。
【００９３】
【表１】
2012096511.tif 000003
【００９４】
上記結果から、本実施例では、比較例に比べ、乾燥時間と共に、画像の光学濃度についても良好な結果が得られることがわかる。また、本実施例では、比較例に比べ、乾燥時間、画像の光学濃度共に、画像滲みについても良好な結果が得られることがわかる。
【符号の説明】
【００９５】
１２   インクジェット記録装置
１４   筐体
１６   給紙容器
１８   取り出しロール
２０   顔料濃度
２０   搬送ローラ対
２４   駆動ロール
２６   従動ロール
２８   搬送ベルト
３０   記録ヘッド
３０Ａ ノズル
３０Ｂ 共通インク室
３０Ｃ フィルタ
３０Ｄ 供給管
３０Ｅ 排出管
３２   帯電ロール
３４   剥離板
３６   排出経路
３８   排出ローラ対
４０   排紙容器
Ｐ     用紙
【図１】
2012096511.tif 000004
【図２】
2012096511.tif 000005
【図３】
2012096511.tif 000006